(57)【要約】【課題】観察の条件に応じて互いに異なる外観の像を視認させることができ、反射光或いは透過光による像の波長選択性を上げることのできる表示体、および、表示体付きデバイスを提供する。【解決手段】表示体は、基準面を有する支持部１１と、基準面においてサブ波長周期を有した二次元格子状に並ぶ複数の周期要素１１Ｔであって、基準面から突出する凸部、もしくは、基準面から窪む凹部のいずれかである周期要素１１Ｔとを備える誘電体である周期構造体を備え、基準面のうち周期要素１１Ｔを囲む領域と周期要素１１Ｔの表面とを含む面である周期構造体の表面に位置し、周期構造体の表面形状に追従する形状を有した金属層２３，４２を備え、周期要素の平面形状が多角形である。【選択図】図４
2019117289.tif 000002
【特許請求の範囲】
【請求項１】
基準面を有する支持部と、前記基準面においてサブ波長周期を有した二次元格子状に並ぶ複数の周期要素であって、前記基準面から突出する凸部、もしくは、前記基準面から窪む凹部のいずれかである前記周期要素とを備える誘電体である周期構造体と、前記基準面のうち前記周期要素を囲む領域と前記周期要素の表面とを含む面である前記周期構造体の表面に位置し、前記周期構造体の表面形状に追従する形状を有した金属層と、を備え、
前記周期要素の平面形状が多角形である、
表示体。
【請求項２】
前記多角形の少なくとも１つの内角が鋭角である、
請求項１に記載の表示体。
【請求項３】
前記複数の周期要素のうち隣接する前記周期要素の組の少なくとも一部は、各周期要素の前記鋭角どうしが向かい合うように配列されている、
請求項２に記載の表示体。
【請求項４】
前記鋭角どうしが向かい合う前記周期要素の組において、前記周期要素の中心間の距離がサブ波長である、
請求項３に記載の表示体。
【請求項５】
前記複数の周期要素は、平面視において六角対称配列、六方配列または正方配列のいずれかを構成するように並ぶ、
請求項１〜４のいずれかに記載の表示体。
【請求項６】
１０ｎｍ以上２００ｎｍ以下の厚さを有した第１格子層と、
１０ｎｍ以上２００ｎｍ以下の厚さを有した第２格子層と、
前記第１格子層および前記第２格子層よりも厚い中間格子層であって、厚さ方向に前記第１格子層と前記第２格子層とに挟まれた前記中間格子層と、を前記基準面上に含み、
前記第１格子層は、島状配列に並ぶ複数の第１誘電体層と、各第１誘電体層を囲う網目状を有した第１金属層と、を備え、
前記中間格子層は、島状配列に並ぶ複数の第１中間誘電体層と、各第１中間誘電体層を囲う網目状を有し、かつ、前記第１中間誘電体層よりも低い誘電率を有した第２中間誘電体層と、を備え、
前記第２格子層は、島状配列に並ぶ複数の第２金属層と、各第２金属層を囲う網目状を有した第２誘電体層と、を備え、
前記周期要素は前記凸部であって、前記第１誘電体層と前記第１中間誘電体層とが前記周期要素を構成し、前記第１金属層と前記第２金属層とが前記金属層に含まれ、
前記第１格子層における前記第１金属層の体積比率が、前記第２格子層における前記第２金属層の体積比率よりも大きく、かつ、前記第２格子層における前記第２金属層の体積比率が、前記中間格子層における金属材料の体積比率よりも大きく、
前記第１誘電体層の構造周期に対する前記第１誘電体層の幅の比、および、前記第２金属層の構造周期に対する前記第２金属層の幅の比が、０．２５以上０．７５以下である、
請求項１〜５のいずれかに記載の表示体。
【請求項７】
前記金属層における前記周期構造体と接する面とは反対側の面に位置し、前記金属層の表面形状に追従する形状を有した誘電体層を備える、
請求項１〜６のいずれかに記載の表示体。
【発明の詳細な説明】
【技術分野】
【０００１】
本発明は、表示体に関する。
【背景技術】
【０００２】
表示体は、回折格子や多層膜による光の干渉等を利用することにより、印刷物とは異なる視覚的な効果を、表示体が示す像に付加する（例えば、特許文献１参照）。表示体は、例えば、パスポートや免許証等の認証書類や、商品券や小切手等の有価証券類のように、偽造が困難であることを求められる物品に備えられることにより、物品の偽造の困難性を高める。また、表示体は、身の回りの物品に備えられることにより、物品の意匠性を高める。
【０００３】
表示体が備える回折格子は、例えば、透明な樹脂層と、樹脂層上に位置するアルミニウムなどの金属層とを備える。例えば、正弦二次構造を有した数学的な関数によって表現される回折格子の形状は、回折格子の傾斜部において、他の部位よりも薄い金属層を有し、傾斜部間での構造の差異によって、透過率や反射率の差異を金属層に付加する。そして、グレースケールによる表現や、反射像の色彩と透過像の色彩とが相互に異なる表現を可能にする（例えば、特許文献１参照）。反射像と透過像の差異は、表示体が貼り付けられた物品の真贋の判定も可能とする。
【先行技術文献】
【特許文献】
【０００４】
【特許文献１】特許第５１２４２７２号明細書
【発明の概要】
【発明が解決しようとする課題】
【０００５】
偽造の困難性や意匠性をより高めるためには、１つの表示体が、観察の条件に応じて互いに異なる外観の像を形成可能であることが好ましい。例えば、表示体の表面の観察と裏面の観察とで、互いに異なる色彩の像が視認される表示体や、表示体の一方の面に対する反射光の観察と透過光の観察とで、互いに異なる色彩の像が視認される表示体が望まれている。
【０００６】
また、正弦二次構造を有した数学的な関数によって表現される回折格子の形状は、回折格子における構造の高さ方向、すなわち、表示体における表裏方向に、高い対象性を必要とする。結果として、表示体の表面から観察される像と、表示体の裏面から観察される像との色彩の差異も微々たるものであり、これらの視認に基づいて、表示体の表裏を判別することも困難である。
【０００７】
さらに、従来の前記回折格子から形成される表示体の表面および裏面で視認される反射光および透過光による像は、色彩が淡く、波長選択性が低いという課題がある。
【０００８】
本発明は、観察の条件に応じて互いに異なる外観の像を視認させることができ、前記反射光或いは透過光による像の波長選択性を上げることのできる表示体を提供することを目的とする。
【課題を解決するための手段】
【０００９】
上記課題を解決するための本発明の一局面は、基準面を有する支持部と、前記基準面においてサブ波長周期を有した二次元格子状に並ぶ複数の周期要素であって、前記基準面から突出する凸部、もしくは、前記基準面から窪む凹部のいずれかである前記周期要素とを備える誘電体である周期構造体と、前記基準面のうち前記周期要素を囲む領域と前記周期要素の表面とを含む面である前記周期構造体の表面に位置し、前記周期構造体の表面形状に追従する形状を有した金属層と、を備え、前記周期要素の平面形状が多角形である、表示体である。
【００１０】
また、前記多角形の少なくとも１つの内角が鋭角であってもよい。
【００１１】
また、前記複数の周期要素のうち隣接する前記周期要素の組の少なくとも一部は、前記鋭角どうしが向かい合うように配列されていてもよい。
【００１２】
また、前記鋭角どうしが向かい合う前記周期要素の組において、前記周期要素の中心間の距離がサブ波長であってもよい。
【００１３】
また、前記複数の周期要素は、平面視において六角対称配列、六方配列または正方配列のいずれかを構成するように並んでもよい。
【００１４】
また、１０ｎｍ以上２００ｎｍ以下の厚さを有した第１格子層と、１０ｎｍ以上２００ｎｍ以下の厚さを有した第２格子層と、前記第１格子層および前記第２格子層よりも厚い中間格子層であって、厚さ方向に前記第１格子層と前記第２格子層とに挟まれた前記中間格子層と、を前記基準面上に含み、前記第１格子層は、島状配列に並ぶ複数の第１誘電体層と、各第１誘電体層を囲う網目状を有した第１金属層と、を備え、前記中間格子層は、島状配列に並ぶ複数の第１中間誘電体層と、各第１中間誘電体層を囲う網目状を有し、かつ、前記第１中間誘電体層よりも低い誘電率を有した第２中間誘電体層と、を備え、前記第２格子層は、島状配列に並ぶ複数の第２金属層と、各第２金属層を囲う網目状を有した第２誘電体層と、を備え、前記周期要素は前記凸部であって、前記第１誘電体層と前記第１中間誘電体層とが前記周期要素を構成し、前記第１金属層と前記第２金属層とが前記金属層に含まれ、前記第１格子層における前記第１金属層の体積比率が、前記第２格子層における前記第２金属層の体積比率よりも大きく、かつ、前記第２格子層における前記第２金属層の体積比率が、前記中間格子層における金属材料の体積比率よりも大きく、前記第１誘電体層の構造周期に対する前記第１誘電体層の幅の比、および、前記第２金属層の構造周期に対する前記第２金属層の幅の比が、０．２５以上０．７５以下であってもよい。
【００１５】
また、前記金属層における前記周期構造体と接する面とは反対側の面に位置し、前記金属層の表面形状に追従する形状を有した誘電体層を備えてもよい。
【発明の効果】
【００１６】
本発明によれば、表示体において、観察の条件に応じて互いに異なる外観の像を視認させることが可能となり、前記反射光或いは透過光による像の波長選択性を上げることができる。
【図面の簡単な説明】
【００１７】
【図１】本発明の表示体の一実施形態における平面構造を示す平面図。
【図２】本発明の表示体における第１表示領域の平面構造を拡大して示す拡大図。
【図３】本発明の第１表示領域における孤立領域の形状を示す平面図。
【図４】本発明の第１表示領域の断面構造を示す図であり、図２のＩＩＩ‐ＩＩＩ線断面図。
【図５】本発明の第１表示領域の断面構造を示す図であり、図２のＩＶ‐ＩＶ線断面図。
【図６】本発明の第２表示領域の断面構造を示す図であり、図１のＶ‐Ｖ線断面図。
【図７】本発明の第１表示領域の断面構造の他の例を示す断面図。
【図８】本発明の表示体の作用を表面側での反射観察、および、裏面側での透過観察によって示す作用図。
【図９】本発明の表示体の作用を裏面側での反射観察、および、表面側での透過観察によって示す作用図。
【図１０】本発明の第１表示領域における断面構造の一部の一例を拡大して示す断面図。
【図１１】本発明の一実施形態の変形例の第１表示領域における断面構造の一部を拡大して示す断面図。
【図１２】本発明の一実施形態の変形例の第２表示領域における断面構造の一部を拡大して示す断面図。
【図１３】本発明の一実施形態の変形例の第１表示領域における断面構造の一部を拡大して示す断面図。
【発明を実施するための形態】
【００１８】
以下、本発明による表示体について、図示の実施の形態により詳細に説明する。なお、表示体は、物品の偽造の困難性を高める目的で用いられてもよいし、物品の意匠性を高める目的で用いられてもよいし、これらの目的を兼ねて用いられてもよい。物品の偽造の困難性を高める目的としては、表示体は、例えば、パスポートや免許証等の認証書類、商品券や小切手等の有価証券類、クレジットカードやキャッシュカード等のカード類、紙幣等に貼り付けられる。また、物品の意匠性を高める目的としては、表示体は、例えば、身に着けられる装飾品や、使用者に携帯される物品、家具や家電等のように据え置かれる物品、壁や扉等の構造物等に取り付けられる。
【００１９】
図１が示すように、表示体の有する表面１０Ｓは、第１表示領域１０Ａと、第２表示領域１０Ｂとに区画される。第１表示領域１０Ａの備える断面構造と、第２表示領域１０Ｂの備える断面構造とは、相互に異なる。第１表示領域１０Ａは、表面１０Ｓにおいて、文字、図形、記号、模様、絵などを描く領域であり、図１では、例えば、星形の図形を描く領域である。
【００２０】
［表示体の構造］
まず、第１表示領域１０Ａの構成について以下に説明する。
図２が示すように、第１表示領域１０Ａは、表示体の表面１０Ｓと対向する方向から見て、複数の孤立領域Ａ２と、各孤立領域Ａ２を囲む単一の周辺領域Ａ３とを含む。図２では、孤立領域Ａ２を説明する便宜上、各孤立領域Ａ２にドットを付して示す。
【００２１】
各孤立領域Ａ２は、サブ波長周期を有した二次元格子状に並ぶ。孤立領域Ａ２は、一例として図２が示すように、表面１０Ｓに沿って六角対称配列に並べて配置することができる。六角対称配列は、複数の孤立領域Ａ２が１辺の長さＸＴを有する正六角形である単位配列ＬＴの各頂点に配置される配列である。単位配列ＬＴの各頂点に配置される孤立領域Ａ２は、構造周期ＰＴを有して隣接する単位配列ＬＴに共有されるものとする。なお、単位配列ＬＴは多角形であれば良く、各孤立領域Ａ２は、正方配列または六方配列に並ぶことも可能である。すなわち、孤立領域Ａ２は、六角対称配列、正方配列、六方配列のいずれかの島状配列に並ぶ。なお、正方配列は、正方形の単位配列ＬＴの各頂点に孤立領域Ａ２が位置する配列であり、六方配列は、正三角形の単位配列ＬＴの各頂点に孤立領域Ａ２が位置する配列である。
【００２２】
図３が示すように、孤立領域Ａ２は少なくとも１つの内角Ａ１が鋭角である多角形であり、複数の孤立領域Ａ２のうち隣接する孤立領域Ａ２の組の少なくとも一部は、それぞれの鋭角である内角Ａ１が向かい合うように配列される。また、内角Ａ１が向かい合う孤立領域Ａ２の組において、孤立領域Ａ２の中心（幾何中心、または重心）間の距離はサブ波長であることが好ましい。構造周期ＰＴは、孤立領域Ａ２が正三角形である場合、好ましくは、正三角形の幅ＷＴ（内角Ａ１と内角Ａ１に対向する辺との距離）の１倍以上５倍以下であり、可視領域の波長である４００ｎｍ以上８００ｎｍ以下のサブ波長周期である。各孤立領域Ａ２は、内角Ａ１が隣接する孤立領域Ａ２の内角Ａ１と対向するように配置されることが好ましい。
【００２３】
図４が示すように、表示体は、可視領域の光を透過する透明な支持部１１を備える。可視領域の光が有する波長は、４００ｎｍ以上８００ｎｍ以下である。支持部１１は、第１表示領域１０Ａと第２表示領域１０Ｂとに共通する。支持部１１の有する断面構造は、単層構造であってもよいし、多層構造であってもよい。
【００２４】
支持部１１を構成する材料は、誘電体であり、例えば、光硬化性樹脂などの樹脂や、石英などの無機材料である。物品に表示体を貼り付けることに要する可撓性を得やすいこと、支持部１１に付加できる光学的な特性の自由度が高いことなどの観点において、支持部１１を構成する材料は、樹脂であることが好ましい。支持部１１の屈折率は、空気層よりも高く、例えば１．２以上１．７以下である。
【００２５】
第１表示領域１０Ａは、支持部１１に近い層から順に、第１格子層２１と、中間格子層３１と、第２格子層４１とを備える。中間格子層３１は、第１格子層２１と第２格子層４１とに挟まれている。なお、支持部１１において第１格子層２１の位置する面が、支持部１１の表面であり、支持部１１に対して第１格子層２１の位置する側が、構造体における表面側である。反対に、第１格子層２１に対して支持部１１の位置する側が、構造体における裏面側である。
【００２６】
［第１格子層２１］
支持部１１の表面には、第１格子層２１が位置する。第１格子層２１は、複数の第１誘電体層２２と、単一の第１金属層２３とを備える。各第１誘電体層２２は、表示体の表面１０Ｓと対向する方向から見て、孤立領域Ａ２に対応する位置に、孤立領域Ａ２に対応する形状で形成される。単一の第１金属層２３は、表面１０Ｓと対向する方向から見て、周辺領域Ａ３に位置する。複数の第１誘電体層２２は、表面１０Ｓに沿って、例えば六角対称配列、正方配列、六方配列のいずれかの島状配列に並ぶことができる。
【００２７】
各第１誘電体層２２は、支持部１１の表面から突き出た構造体である。各第１誘電体層２２は、例えば、支持部１１と一体である。あるいは、各第１誘電体層２２は、例えば、支持部１１の表面との間に境界を有し、支持部１１とは別体である。
【００２８】
第１金属層２３は、表面１０Ｓと対向する方向から見て、各第１誘電体層２２を１つずつ囲う網目状を有する。第１格子層２１において、単一の第１金属層２３は、自由電子が行きわたる光学的な海成分であり、各第１誘電体層２２は、海成分のなかに分布する島成分である。
【００２９】
表面１０Ｓと対向する方向から見て、第１誘電体層２２の位置する周期は、相互に隣り合う第１誘電体層２２の最短幅ＷＰと、第１誘電体層２２の幅ＷＴとの合計であり、上記構造周期ＰＴである。
【００３０】
構造周期ＰＴに対する第１誘電体層２２の幅ＷＴの比は、０．２５以上０．７５以下である。第１格子層２１の加工の精度が得られること、第１格子層２１においてプラズモン共鳴が生じやすいことなどの観点において、構造周期ＰＴに対する第１誘電体層２２の幅ＷＴの比は、好ましくは、０．４０以上０．６０以下である。なお、第１誘電体層２２の平面形状が正三角形である場合、構造周期ＰＴは、第１誘電体層２２の幅ＷＴの１倍以上５倍以下であり、可視領域の波長である４００ｎｍ以上８００ｎｍ以下のサブ波長周期である。
【００３１】
第１格子層２１の厚さは、１０ｎｍ以上２００ｎｍ以下であることが好ましい。第１格子層２１の加工の精度が得られること、第１格子層２１においてプラズモン共鳴が生じやすいこと、各観察による像の色彩が鮮明となることなどの観点において、第１格子層２１の厚さは、１０ｎｍ以上１００ｎｍ以下であることが好ましい。
【００３２】
［中間格子層３１］
第１格子層２１の上には、中間格子層３１が位置する。中間格子層３１の厚さは、第１格子層２１の厚さよりも厚い。中間格子層３１の加工の精度が得られる観点において、中間格子層３１の厚さは、１５０ｎｍ以下であることが好ましい。
【００３３】
中間格子層３１は、複数の第１中間誘電体層３２と、単一の第２中間誘電体層３３とを備える。各第１中間誘電体層３２は、表面１０Ｓと対向する方向から見て、孤立領域Ａ２に対応する位置に、孤立領域Ａ２に対応する形状で形成される。単一の第２中間誘電体層３３は、表面１０Ｓと対向する方向から見て、周辺領域Ａ３に位置する。複数の第１中間誘電体層３２は、表面１０Ｓに沿って、例えば六角対称配列、正方配列、六方配列のいずれかの島状配列に並ぶことができる。
【００３４】
各第１中間誘電体層３２は、第１誘電体層２２から突き出た構造体である。各第１中間誘電体層３２は、例えば、第１誘電体層２２と一体である。あるいは、各第１中間誘電体層３２は、例えば、第１誘電体層２２との間に境界を有し、第１誘電体層２２とは別体である。表面１０Ｓと対向する方向から見て、第１中間誘電体層３２の位置する周期は、第１誘電体層２２と同じく、最短幅ＷＰと幅ＷＴとの合計であり、上記構造周期ＰＴである。構造周期ＰＴに対する第１中間誘電体層３２の幅ＷＴの比は、０．２５以上０．７５以下である。また、構造周期ＰＴに対する第１中間誘電体層３２の幅ＷＴの比は、好ましくは、０．４０以上０．６０以下である。なお、第１中間誘電体層３２の平面形状が正三角形である場合、構造周期ＰＴは、第１中間誘電体層３２の幅ＷＴの１倍以上５倍以下であり、可視領域の波長である４００ｎｍ以上８００ｎｍ以下のサブ波長周期である。
【００３５】
第２中間誘電体層３３は、表面１０Ｓと対向する方向から見て、各第１中間誘電体層３２を１つずつ囲う網目状を有する。中間格子層３１において、単一の第２中間誘電体層３３は、構造的および光学的に海成分であり、各第１中間誘電体層３２は、構造的および光学的に島成分である。第２中間誘電体層３３は、空気層、あるいは、樹脂層であり、第１中間誘電体層３２よりも低い誘電率を有する。
【００３６】
［第２格子層４１］
中間格子層３１の上には、第２格子層４１が位置する。第２格子層４１の厚さは、１０ｎｍ以上２００ｎｍ以下であることが好ましく、また、第２格子層４１の厚さは、中間格子層３１の厚さよりも薄い。第２格子層４１の加工の精度が得られること、第２格子層４１においてプラズモン共鳴が生じやすいこと、各観察による像の色彩が鮮明になることなどの観点において、第２格子層４１の厚さは、１０ｎｍ以上１００ｎｍ以下であることが好ましい。
【００３７】
第２格子層４１は、複数の第２金属層４２と、単一の第２誘電体層４３とを備える。各第２金属層４２は、表面１０Ｓと対向する方向から見て、孤立領域Ａ２に対応する位置に、孤立領域Ａ２に対応する形状で形成される。単一の第２誘電体層４３の位置は、表面１０Ｓと対向する方向から見て、周辺領域Ａ３に含まれる。複数の第２金属層４２は、表面１０Ｓに沿って、例えば六角対称配列、正方配列、六方配列のいずれかの島状配列に並ぶことができる。
【００３８】
各第２金属層４２は、第１中間誘電体層３２の頂面に重なる構造体である。各第２金属層４２は、第１中間誘電体層３２との間に境界を有し、第１中間誘電体層３２とは別体である。表面１０Ｓと対向する方向から見て、第２金属層４２の位置する周期は、第１誘電体層２２と同じく、最短幅ＷＰと幅ＷＴとの合計であり、上記構構造周期ＰＴである。構造周期ＰＴに対する第２金属層４２の幅の比は、０．２５以上０．７５以下である。また、構造周期ＰＴに対する第２金属層４２の幅の比は、好ましくは、０．４０以上０．６０以下である。なお、第２金属層４２の平面形状が正三角形である場合、構造周期ＰＴは、第２金属層４２の幅ＷＴの１倍以上５倍以下であり、可視領域の波長である４００ｎｍ以上８００ｎｍ以下のサブ波長周期である。
【００３９】
第２誘電体層４３は、表面１０Ｓと対向する方向から見て、各第２金属層４２を１つずつ囲う網目状を有する。第２格子層４１において、単一の第２誘電体層４３は、第２金属層４２と比べて自由電子が少ない光学的な海成分であり、各第２金属層４２は、海成分のなかに分布する島成分である。第２誘電体層４３は、空気層、あるいは、樹脂層であり、第１中間誘電体層３２よりも低い誘電率を有する。
【００４０】
第１格子層２１における海成分である第１金属層２３の体積比率は、第２格子層４１における島成分である第２金属層４２の体積比率よりも大きい。また、第２格子層４１における島成分である第２金属層４２の体積比率は、中間格子層３１における金属材料の体積比率よりも大きい。
【００４１】
なお、第１誘電体層２２と第１中間誘電体層３２とから構成される構造体は、周期要素の一例であり、支持部１１の表面を基準面として、基準面から突出する凸部１１Ｔでもある。そして、支持部１１、第１誘電体層２２、および、第１中間誘電体層３２から構成される構造体は、周期構造体の一例である。また、第１金属層２３と第２金属層４２とから構成される層は、層全体としての形状が周期構造体の表面形状に追従する形状を有した金属層として捉えられる。周期構造体の表面は、基準面のうち各周期要素を囲む領域と各周期要素の表面とを含む面である。
【００４２】
図５が示すように、周辺領域Ａ３においては、支持部１１に近い層から順に、第１格子層２１の第１金属層２３と、中間格子層３１の第２中間誘電体層３３と、第２格子層４１の第２誘電体層４３とが位置する。第２中間誘電体層３３は、第１金属層２３と第２誘電体層４３とに挟まれている。
【００４３】
図６が示すように、第２表示領域１０Ｂは、支持部１１の上に、上述した第１格子層２１、中間格子層３１、および、第２格子層４１を備えていない。すなわち、第２表示領域１０Ｂは、支持部１１の備える光透過性に従って、可視領域の光を透過する。
【００４４】
なお、第２表示領域１０Ｂは、第１表示領域１０Ａとは異なる層を、支持部１１の上に備えてもよい。第２表示領域１０Ｂは、例えば、第１誘電体層２２のみを備えてもよい。また、第２表示領域１０Ｂは、例えば、第１金属層２３を構成する材料と同一の材料から構成された単一の金属層のみを備えてもよい。第２表示領域１０Ｂにおける層構成は、第２表示領域１０Ｂが表示する像への要請に応じて、適宜選択される。
【００４５】
また、上述のように、支持部１１の有する断面構造は、多層構造であってもよいし、各第１誘電体層２２は支持部１１との間に境界を有していなくてもよい。図７は、支持部１１が２つの層から構成され、これらの層のうち支持部１１の表面側の層が各第１誘電体層２２と一体である構造を示す。すなわち、支持部１１は、基材１１ａと中間層１１ｂとを備え、中間層１１ｂは、基材１１ａに対して表面側に位置する。各第１誘電体層２２は、中間層１１ｂから突き出ており、各第１誘電体層２２と中間層１１ｂとは一体である。
【００４６】
［表示体の光学的な構成］
次に、表示体が備える光学的な構成を説明する。
ここでは、表示体の表面１０Ｓ、および、表示体の裏面１０Ｔが、それぞれ空気層と接し、第２中間誘電体層３３と第２誘電体層４３との各々が、空気層である構成、あるいは、空気層に近い屈折率を有した樹脂層である構成を例として説明する。
図８が示すように、支持部１１の屈折率は、誘電体に支配された大きさであって、空気層の屈折率よりも大きい。
【００４７】
第１誘電体層２２の屈折率は、空気層の屈折率よりも高く、第１金属層２３の屈折率は、空気層の屈折率よりも低い。第１格子層２１の屈折率は、これら第１金属層２３の屈折率と、第１誘電体層２２の屈折率とによって、平均化された大きさに近似される。構造周期ＰＴに対する第１誘電体層２２の幅ＷＴの比は、０．２５以上０．７５以下であり、第１誘電体層２２の平面形状が正三角形である場合、構造周期ＰＴは第１誘電体層２２の幅ＷＴの１倍以上５倍以下であるため、第１格子層２１の屈折率は、結局のところ、海成分である第１金属層２３に支配された大きさであり、空気層の屈折率よりも十分に低い。
【００４８】
第１中間誘電体層３２の屈折率は、空気層の屈折率よりも高く、第２中間誘電体層３３の屈折率は、空気層の屈折率と等しい、もしくは、空気層の屈折率よりも高い。中間格子層３１の屈折率は、これら第２中間誘電体層３３の屈折率と、第１中間誘電体層３２の屈折率とによって、平均化された大きさに近似される。構造周期ＰＴに対する第１中間誘電体層３２の幅ＷＴの比は、０．２５以上０．７５以下であり、第１中間誘電体層３２の平面形状が正三角形である場合、構造周期ＰＴは第１中間誘電体層３２の幅ＷＴの１倍以上５倍以下であるため、中間格子層３１の屈折率は、結局のところ、海成分である第２中間誘電体層３３に支配された大きさであり、空気層の屈折率よりも高く、かつ、空気層の屈折率に近い値である。
【００４９】
第２金属層４２の屈折率は、空気層の屈折率よりも低く、第２誘電体層４３の屈折率は、空気層の屈折率と等しい、もしくは、空気層の屈折率よりも高い。第２格子層４１の屈折率は、これら第２誘電体層４３の屈折率と、第２金属層４２の屈折率とによって、平均化された大きさに近似される。構造周期ＰＴに対する第２金属層４２の幅ＷＴの比は、０．２５以上０．７５以下であり、第２金属層４２の平面形状が正三角形である場合、構造周期ＰＴは第２金属層４２の幅ＷＴの１倍以上５倍以下であるため、第２格子層４１の屈折率は、結局のところ、海成分である第２誘電体層４３に支配された大きさであり、空気層の屈折率よりも低く、かつ、空気層に近い値である。
【００５０】
［表面反射観察、裏面透過観察］
ここで、表示体の外側から第２格子層４１に入射する白色の光Ｌ１は、空気層から第２格子層４１に入り、第２格子層４１から中間格子層３１に入る。第２格子層４１に入射する光Ｌ１は、空気層に近い屈折率を有した第２格子層４１に空気層から入るため、空気層と第２格子層４１との界面においては、フレネル反射を生じ難い。また、中間格子層３１に入射する光は、空気層に近い屈折率を有した第２格子層４１から、空気層に近い屈折率を有した中間格子層３１に入るため、ここでも、第２格子層４１と中間格子層３１との界面においては、フレネル反射を生じ難い。
【００５１】
一方で、第２金属層４２の構造周期ＰＴが、可視領域の波長以下のサブ波長周期であるため、第２格子層４１ではプラズモン共鳴が生じる。プラズモン共鳴は、第２格子層４１に入射した光の一部と電子の集団的な振動とが結合する現象である。第２格子層４１に入射した光Ｌ１の一部は、第２格子層４１でのプラズモン共鳴によって表面プラズモンに変換され、表面プラズモンは第２格子層４１を透過する。第２格子層４１を透過した表面プラズモンは、光に再変換されて出射される。プラズモン共鳴に起因して第２格子層４１が出射する光ＥＰ２の波長領域は、第２金属層４２の構造周期ＰＴを含む格子構造および材料に依存した特定の波長領域である。結果として、第２格子層４１は、第２格子層４１に入射した光の波長領域の一部の光を、中間格子層３１へ透過する。
【００５２】
また、第１誘電体層２２の構造周期ＰＴも、可視領域の波長以下のサブ波長周期であるため、第１格子層２１でもプラズモン共鳴が生じる。すなわち、第１格子層２１に入射する光の一部もまた、第１格子層２１でのプラズモン共鳴によって表面プラズモンに変換され、表面プラズモンは第１格子層２１を透過し、光に再変換されて出射される。プラズモン共鳴に起因して第１格子層２１が出射する光ＥＰ１の波長領域は、第１誘電体層２２の構造周期ＰＴを含む格子構造および材料に依存した特定の波長領域である。結果として、第１格子層２１は、第１格子層２１に入射した光の波長領域の一部の光を、支持部１１へ透過する。
【００５３】
さらに、第１誘電体層２２は内角の少なくとも１つが鋭角である多角形であり、１辺の長さＸＴを有する正六角形である単位配列ＬＴの各頂点に配置されている。表面プラズモンは構造の先鋭部に強く誘起されることが知られている。そのため、第１誘電体層２２が多角形の場合、鋭角近傍にその効果が強く表れる。また、表面プラズモンによる光学・発色特性は、金属などの表面プラズモンを誘起する物質の配置形状に影響されることが知られている。例えば、配置形状を正方配列、六方配列、六角対称配列等の高い回転対称性を持つものに変えることで表面プラズモンの分散関係を変化させ、反射スペクトルを狭帯域化するなどの制御が可能となる。よって、吸収のバンド幅が小さくなり波長選択性が高くなる。
【００５４】
結果として、表示体の外側から第２格子層４１へ光Ｌ１を入射させて、表示体の表面側から表面１０Ｓを観察する表面反射観察によれば、上記各界面でのフレネル反射を生じ難いこと、上記各格子層での強いプラズモン共鳴を生じること、これらが相まって、黒色、もしくは、黒色に近い色彩が、第１表示領域１０Ａで視認される。
【００５５】
他方、表示体の外側から第２格子層４１へ光Ｌ１を入射させて、表示体の裏面側から裏面１０Ｔを観察する裏面透過観察によれば、上記各格子層でのプラズモン共鳴を経て透過した有色の光ＬＰ１が、すなわち、白色および黒色以外の光が、第１表示領域１０Ａで視認される。なお、上記表面反射観察や裏面透過観察の結果は、表面１０Ｓに向けた外光の光量が、裏面１０Ｔに向けた外光の光量よりも高い場合においても、同様の傾向を示す。
【００５６】
［裏面反射観察、表面透過観察］
図９が示すように、表示体の外側から支持部１１に入射する白色の光Ｌ１は、空気層から支持部１１に入り、支持部１１から第１格子層２１に入る。支持部１１に入射した光Ｌ１は、空気層よりも高い屈折率を有した支持部１１から、空気層よりも低い屈折率を有した第１格子層２１に入るため、支持部１１と第１格子層２１との界面では、フレネル反射を生じやすい。なお、支持部１１の屈折率と、第１格子層２１の屈折率との差は、第１格子層２１と中間格子層３１との間の屈折率差よりも大きく、また、中間格子層３１と第２格子層４１との間の屈折率差よりも大きい。
【００５７】
一方で、支持部１１と第１格子層２１との界面を透過した光の一部は、第１格子層２１でのプラズモン共鳴に供される。ここでも、プラズモン共鳴に起因して第１格子層２１が出射する光ＥＰ１の波長領域は、第１金属層２３の構造周期ＰＴを含む格子構造および材料に依存した特定の波長領域である。この波長領域の光は、支持部１１と第１格子層２１との界面では反射されずに、プラズモン共鳴によって消費される。結果として、支持部１１に入射した光の波長領域の一部の光は、支持部１１と第１格子層２１との界面で反射され、第１格子層２１は、第１格子層２１に入射した光の波長領域の一部の光を、中間格子層３１へ透過する。
【００５８】
また、中間格子層３１を透過して第２格子層４１に入射した光の一部も、第２格子層４１でのプラズモン共鳴に供される。ここでも、プラズモン共鳴に起因して第２格子層４１が出射する光ＥＰ２の波長領域は、第２誘電体層４３の構造周期ＰＴを含む格子構造および材料に依存した特定の波長領域である。結果として、第２格子層４１は、第２格子層４１に入射した光の波長領域の一部の光を、空気層へ透過する。
【００５９】
さらに、第１誘電体層２２は内角の少なくとも１つが鋭角である多角形であり、１辺の長さＸＴを有する正六角形である単位配列ＬＴの各頂点に配置されている。表面プラズモンは構造の先鋭部に強く誘起されることが知られている。そのため、第１誘電体層２２が多角形の場合、鋭角近傍にその効果が強く表れる。また、表面プラズモンによる光学・発色特性は、金属などの表面プラズモンを誘起する物質の配置形状に影響されることが知られている。例えば、配置形状を正方配列、六方配列、六角対称配列等の高い回転対称性を持つものに変えることで表面プラズモンの分散関係を変化させ、反射スペクトルを狭帯域化するなどの制御が可能となる。よって、六角対称配列にすることで吸収のバンド幅が小さくなり波長選択性が高くなる。
【００６０】
結果として、表示体の外側から支持部１１へ光Ｌ１を入射させて、表示体の裏面側から裏面１０Ｔを観察する裏面反射観察によれば、上記界面でのフレネル反射による有色の光ＬＲが、すなわち、白色および黒色以外の光ＬＲが、第１表示領域１０Ａで視認される。なお、こうした支持部１１と第１格子層２１との界面で生じるフレネル反射は、上述した表面反射観察において、より黒色に近い色彩を、第１表示領域１０Ａで視認させる。
【００６１】
他方、表示体の外側から支持部１１へ光Ｌ１を入射させて、表示体の表面側から表面１０Ｓを観察する表面透過観察では、上記フレネル反射と、上記各格子層でのプラズモン共鳴とを経た有色の光ＬＰ２が、第１表示領域１０Ａで視認される。なお、上記表面透過観察や裏面反射観察の結果は、裏面１０Ｔに向けた外光の光量が、表面１０Ｓに向けた外光の光量よりも高い場合においても、同様の傾向を示す。
【００６２】
［表示体の製造方法］
次に、表示体を製造する方法の一例を説明する。
まず、支持部１１の表面に、第１誘電体層２２と第１中間誘電体層３２とを形成する。第１誘電体層２２と第１中間誘電体層３２とは、支持部１１の表面から突き出た突部として一体に形成される。突部を形成する方法は、例えば、光、あるいは、荷電粒子線を用いたフォトリソグラフィー法、ナノインプリント法、および、プラズマエッチング法である。
【００６３】
例えば、図７に示したように基材１１ａと中間層１１ｂとから構成される支持部１１を有する表示体を製造する場合、まず、基材１１ａとして、ポリエチレンテレフタラートシートを用い、基材１１ａの表面に、紫外線硬化性樹脂を塗工する。次いで、紫外線硬化性樹脂からなる塗工膜の表面に、凹版である合成石英モールドの表面を押し当て、これらに紫外線を照射する。続いて、硬化した紫外線硬化性樹脂から合成石英モールドを離型する。これによって、基材１１ａの表面の樹脂に凹版の有する凹凸が転写され、第１誘電体層２２と第１中間誘電体層３２とからなる突部および中間層１１ｂが形成される。なお、紫外線硬化性樹脂は、熱硬化性樹脂に変更することも可能であり、紫外線の照射は、加熱に変更することも可能である。また、紫外線硬化性樹脂は、熱可塑性樹脂に変更することも可能であり、紫外線の照射は、加熱および冷却に変更することも可能である。
【００６４】
次いで、突部を備える支持部１１の表面に、第１金属層２３、および、第２金属層４２を形成する。第１金属層２３、および、第２金属層４２を形成する方法は、例えば、真空蒸着法、スパッタリング法である。これによって、第１金属層２３の頂面によって区画される第１格子層２１が形成され、第２金属層４２の頂面によって区画される第２格子層４１が形成され、これら第１格子層２１と第２格子層４１とに挟まれた中間格子層３１が形成される。
【００６５】
［第１表示領域の構成例］
図１０が示すように、第１金属層２３の厚さＴ２が厚いほど、第１格子層２１と支持部１１との界面では、フレネル反射による光の強度が大きく、裏面反射観察での像の明度が高まる。第１誘電体層２２の鋭角である内角Ａ１が向かい合い、かつ、構造周期ＰＴに対する第１誘電体層２２の幅ＷＴの比が小さいほど、これもまた、裏面反射観察での像の明度が高まる。
【００６６】
また、第１金属層２３の厚さＴ２が厚いほど、裏面１０Ｔから表面１０Ｓへ透過する光の強度が小さく、表面反射観察での色彩が、より黒色に近づく。第１誘電体層２２の鋭角である内角Ａ１が向かい合い、かつ、構造周期ＰＴに対する第１誘電体層２２の幅ＷＴの比が小さいほど、これもまた、表面反射観察での色彩が、より黒色に近づく。
【００６７】
そして、第１金属層２３の厚さＴ２が１０ｎｍ以上であり、かつ、構造周期ＰＴに対する第１誘電体層２２の幅ＷＴの比が０．７５以下である場合、もしくは、第１誘電体層２２の平面形状が正三角形であり、構造周期ＰＴが第１誘電体層２２の幅ＷＴの５倍以下であり、可視領域の波長である４００ｎｍ以上８００ｎｍ以下のサブ波長周期であれば、表示体の表裏を判断するための上記観察において、それの精度が十分に得られる。
【００６８】
他方、第１金属層２３の厚さＴ２が薄いほど、また、第２金属層４２の厚さＴ４が薄いほど、表面透過観察や裏面透過観察では、これらを透過する光の強度が大きい。第１誘電体層２２の鋭角である内角Ａ１が向かい合い、かつ、構造周期ＰＴに対する第１誘電体層２２の幅ＷＴの比が大きいほどこれもまた、表示体を透過する光の強度が大きい。
【００６９】
そして、第１金属層２３の厚さＴ２や、第２金属層４２の厚さＴ４が、２００ｎｍ以下であり、かつ、構造周期ＰＴに対する第１誘電体層２２の幅ＷＴの比が０．２５以上である場合、もしくは、第１誘電体層２２の平面形状が正三角形であり、構造周期ＰＴが第１誘電体層２２の幅ＷＴの１倍以上であり、可視領域の波長である４００ｎｍ以上８００ｎｍ以下のサブ波長周期であれば、表面透過観察で視認される像や、裏面透過観察で視認される像が、それを視認できる程度に明瞭となる。
【００７０】
第１誘電体層２２の厚さＴ２と、第１中間誘電体層３２の厚さＴ３との合計は、第１誘電体層２２の幅ＷＴと、最短幅ＷＰとの合計である構造周期ＰＴよりも小さいことが好ましい。また、第１誘電体層２２の厚さＴ２と第１中間誘電体層３２の厚さＴ３との合計は、構造周期ＰＴの半分よりも小さいことが、より好ましい。
【００７１】
こうした構成であれば、第１誘電体層２２と第１中間誘電体層３２とが一体である樹脂構造体において、その構造体の形状の精度を高めることが可能であり、また、第１誘電体層２２と第１中間誘電体層３２とからなる凸部１１Ｔが支持部１１の表面で倒れることが抑えられる。
【００７２】
可視領域の波長における複素誘電率の実部が負の値である金属材料は、それを用いた第１格子層２１や第２格子層４１において、プラズモン共鳴を生じやすい。そこで、第１金属層２３を構成する材料は、上記複素誘電率の実部が負の値の材料であることが好ましい。第２金属層４２を構成する材料もまた、上記複素誘電率の実部が負の値の材料であることが好ましい。
これら第１金属層２３や第２金属層４２を構成する材料は、例えば、アルミニウム、銀、金、インジウム、タンタルなどである。
【００７３】
なお、上記製造方法において説明したように、第１金属層２３と第２金属層４２とは、第１誘電体層２２と第１中間誘電体層３２とが形成された支持部１１に対する金属層の成膜によって、単一の工程で形成することができる。
【００７４】
この場合、成膜源から飛行する金属粒子は、支持部１１の表面に対して、所定の角度分布を有して付着する。結果として、第２金属層４２の幅Ｗ４は、第１中間誘電体層３２の幅ＷＴよりも若干大きくなり、相互に隣り合う第２金属層４２の最短幅ＷＰ４は、最短幅ＷＰよりも若干小さくなる。この際、構造周期ＰＴに対する第２金属層４２の幅Ｗ４の比は、０．２５以上０．７５以下である。なお、第１中間誘電体層３２の平面形状が正三角形である場合、構造周期ＰＴは第１中間誘電体層３２の幅ＷＴの１倍以上５倍以下であり、可視領域の波長である４００ｎｍ以上８００ｎｍ以下のサブ波長周期である。ちなみに、第１金属層２３における第１中間誘電体層３２の周囲は、第２金属層４２によるシャドウ効果の影響を受け、第１中間誘電体層３２に近い部位ほど薄い。
【００７５】
また、上記成膜方法によって形成される構造体においては、第１中間誘電体層３２の側面にも、第２金属層４２に連続する金属層である中間金属層３２Ａが形成される。
【００７６】
中間金属層３２Ａは、第１中間誘電体層３２と第２中間誘電体層３３とに挟まれる。中間金属層３２Ａは、第２金属層４２と一体の構造体であり、第１中間誘電体層３２の側面上での厚みが、第１金属層２３に近い部位ほど薄い。
【００７７】
こうした中間金属層３２Ａは、構造周期ＰＴがサブ波長周期であるため、第２格子層４１や中間格子層３１の厚さ方向での屈折率の変化を連続的とする。そして、中間金属層３２Ａは、表示体の外側から第２格子層４１に入射した光を反射し難く、中間格子層３１や第１格子層２１へ透過しやすい。それゆえに、上述した表面反射観察においては、より黒色に近い色が、第１表示領域１０Ａで視認される。
また、上記成膜方法によって形成される構造体においては、第１金属層２３を構成する材料と、第２金属層４２を構成する材料とは、相互に等しい。
【００７８】
ここで、第２誘電体層４３と第２金属層４２との間の屈折率差が小さいほど、第２格子層４１での平均化された屈折率は、第２格子層４１と他の層との界面でのフレネル反射を抑えやすい。他方、第１誘電体層２２と第１金属層２３との間の屈折率差が大きいほど、第１格子層２１の平均化された屈折率は、第１格子層２１と支持部１１との界面でのフレネル反射を促しやすい。
【００７９】
そこで、第１金属層２３と第２金属層４２とが、相互に等しい屈折率を有し、かつ、第１誘電体層２２と第１金属層２３との間の屈折率差が、第２誘電体層４３と第２金属層４２との間の屈折率差よりも大きい構成であれば、第２格子層４１と他の層との界面でのフレネル反射を抑え、かつ、第１格子層２１と他の層との界面でのフレネル反射を促すことが可能である。
【００８０】
なお、第２格子層４１と他の層との界面でのフレネル反射を抑え、かつ、第１格子層２１と他の層との界面でのフレネル反射を促すためには、以下の条件が満たされていることが好ましい。すなわち、第２誘電体層４３に対して中間格子層３１とは反対側で第２誘電体層４３に接する層である表面層と、第２誘電体層４３との間の屈折率差は、第１金属層２３と支持部１１との間の屈折率差よりも小さいことが好ましい。表面層は、例えば空気層である。そして、第２誘電体層４３の屈折率は、表面層の屈折率と等しいことがさらに好ましい。
【００８１】
以上、上記実施形態によれば、以下に列挙する効果が得られる。
（１）表面反射観察と裏面反射観察とにおいて別々の色彩を有した像を第１表示領域１０Ａで視認させられるため、表示体の表裏を判別することが可能となる。また、表示体の貼り付けられた物品に対して、それの真贋の判定を容易なものとすることや、表示体の貼り付けられた物品の意匠性を高めることが可能ともなる。
【００８２】
（２）表面反射観察と裏面透過観察とにおいても別々の色彩を有した像を第１表示領域１０Ａで視認させられるため、表裏の判断結果に対する精度を高めることが可能となる。また、裏面反射観察と表面透過観察とにおいても別々の色彩を有した像を第１表示領域１０Ａで視認させられるため、表裏の判断結果に対する精度を高めることが可能となる。
【００８３】
（３）構造周期ＰＴの大きさが、可視領域の波長以下であるサブ波長周期であり、可視領域の光の一次回折光の形成を抑える大きさである。そのため、裏面反射観察、表面透過観察、裏面透過観察による像に、虹色が含まれることを抑えて、各観察による像の色彩を、より鮮明にすることが可能ともなる。
【００８４】
（４）第１誘電体層２２、第１中間誘電体層３２、第２金属層４２が少なくとも１つの内角が鋭角である多角形であり、それらが正六角形である単位配列の各頂点に配置される場合、各観察による像の波長選択性を上げることが可能となる。
【００８５】
（５）第１格子層２１の厚さＴ２と、中間格子層３１の厚さＴ３との合計が、ナノインプリントなどの凹版を適用できる程度の大きさであるため、第１誘電体層２２と第１中間誘電体層３２とを一体に成形することが可能ともなる。
【００８６】
（６）第１誘電体層２２と第１中間誘電体層３２とが一体の構造体であり、また、第２中間誘電体層３３と第２誘電体層４３とが一体であるため、表示体の構造を簡素化することが可能ともなる。さらに、第２中間誘電体層３３と第２誘電体層４３とが一体の空気層である構成であれば、表示体の構造をさらに簡素化することが可能ともなる。
（７）中間金属層３２Ａが反射防止機能を備えるため、表面反射観察によって視認される像の色彩を、さらに黒色に近い色彩とすることが可能ともなる。
【００８７】
（８）表面反射観察と、裏面反射観察と、表面もしくは裏面での透過観察との各々において、第１表示領域１０Ａの色彩を固有のものとすることができる。それゆえに、表示体が付された物品に対して、それの真贋の判定における精度を高めることが可能ともなる。
【００８８】
（９）表面反射観察と、裏面反射観察と、表面もしくは裏面での透過観察との各々において、第１表示領域１０Ａの色彩を固有のものとすることができる。それゆえに、表示体による表示の形態を、より複雑なものとすること、また、表示体の有する意匠性を高めることが可能ともなる。
【００８９】
＜上記実施形態の変形例＞
上記実施形態は、以下のように変更して実施することもできる。
［中間格子層３１］
・第１中間誘電体層３２と第２中間誘電体層３３とは、各別の構造体に具体化できる。この際、第２中間誘電体層３３は、第１中間誘電体層３２の屈折率よりも空気層の屈折率に近い屈折率を有した樹脂層であることが好ましい。
【００９０】
・第２中間誘電体層３３と第２誘電体層４３とは、各別の構造体に具体化できる。この際、第２中間誘電体層３３は、第２誘電体層４３の屈折率よりも空気層の屈折率に近い屈折率を有した樹脂層であることが好ましい。
【００９１】
［第１格子層２１］
・図１１が示すように、第１誘電体層２２と第１中間誘電体層３２とを一体の構造体として構成する。この一体の構造体である凸部１１Ｔの形状は、支持部１１の表面から突き出る錐体状に具体化できる。こうした構造であれば、第１誘電体層２２や第１中間誘電体層３２の形成に際して、それを形成するための凹版の離型を円滑に進めることが可能である。
【００９２】
［第２表示領域１０Ｂ］
・図１２が示すように、第２表示領域１０Ｂは、支持部１１の表面に金属層２３Ｂのみを備える構成として具体化できる。この際、表面反射観察では、黒色、もしくは、黒色に近い色彩を有する像を、第１表示領域１０Ａで視認させることができ、かつ、金属光沢を有する像を、第２表示領域１０Ｂで視認させることができる。他方、裏面反射観察では、第１格子層２１と支持部１１との界面でのフレネル反射による光として、第１格子層２１でのプラズモン共鳴によって消費される波長領域の影響を受けた光による有色の像を、第１表示領域１０Ａで視認させることができ、かつ、金属層２３Ｂと支持部１１との界面でのフレネル反射のみが反映された金属光沢を有する像を、第２表示領域１０Ｂで視認させることができる。
【００９３】
［保護層］
・表示体は、第２金属層４２の上に保護層をさらに備える。この際、保護層と第２金属層４２との界面におけるフレネル反射の強度、および、それに伴う表示体での波長の選択性が、保護層の屈折率によって変わる。そこで、保護層を構成する材料は、表示体に選択させる波長領域に基づき、適宜選択される。
【００９４】
なお、図１３が示すように、保護層４５は、第２誘電体層４３、および、第２中間誘電体層３３と一体の構造体に具体化できる。この際、保護層４５は、低屈折率の樹脂層であることが好ましい。低屈折率の樹脂層は、第１誘電体層２２の屈折率や第１中間誘電体層３２の屈折率よりも空気層の屈折率に近い屈折率を有する。
【００９５】
［その他の形態］
・表示体の表面１０Ｓと対向する方向から見た孤立領域Ａ２の配置は、六角対称配列、正方配列および六方配列に限らず、二次元格子状の配列であればよい。すなわち、複数の第１誘電体層２２は二次元格子状に並んでいればよく、また、複数の第１中間誘電体層３２も二次元格子状に並んでいればよく、また、複数の第２金属層４２も二次元格子状に並んでいればよい。換言すれば、周期構造体の周期要素は、サブ波長周期を有した二次元格子状に並んでいればよい。二次元格子状の配列は、二次元平面内において交差する２つの方向の各々に沿って要素が並ぶ配列である。この際、構造周期ＰＴに対する幅ＷＴの比は、１つの方向での構造周期ＰＴに対する幅ＷＴの比であり、当該比が所定の範囲内であるとは、周期要素が並ぶ上記２つの方向の各々について、構造周期ＰＴに対する幅ＷＴの比が所定の範囲内であることを示す。
【００９６】
また、表示体の表面１０Ｓと対向する方向から見た孤立領域Ａ２の形状、すなわち、周期要素の平面形状は、三角形に限らず、正方形や長方形などの他の多角形であってもよいし、円形であってもよい。
【００９７】
・第１格子層２１および第２格子層４１にてプラズモン共鳴が生じる構造を表示体が有していれば、表示体を透過する透過光は、構造周期ＰＴに応じた特定の波長領域の光となる。第２格子層４１と他の層との界面にてフレネル反射が生じ、表面反射観察にて黒色とは異なる有色の像が第１表示領域１０Ａで視認される場合であっても、プラズモン共鳴によって消費される波長領域は、反射光には含まれないため、表面反射観察と裏面透過観察とでは、互いに異なる色彩の像が視認される。また、裏面反射観察と表面透過観察とでも、互いに異なる色彩の像が視認される。したがって、表示体の表面の観察と裏面の観察とで、互いに異なる色彩の像を視認させることが可能であり、すなわち、観察の条件に応じて互いに異なる外観の像を視認させることができる。それゆえ、表示体の付された物品における偽造の困難性や意匠性をより高めることができる。
【００９８】
例えば、構造周期ＰＴに対する第１誘電体層２２の幅ＷＴの比、および、構造周期ＰＴに対する第２金属層４２の幅ＷＴの比は、０．２５以上０．７５以下とは異なる値であってもよいし、第１誘電体層２２の平面形状が正三角形である場合、構造周期ＰＴは第１誘電体層２２の幅ＷＴの１倍以上５倍以下と異なる値であってもよい。また例えば、第１格子層２１と中間格子層３１と第２格子層４１との厚さの関係は、上記実施形態と異なってもよい。
【産業上の利用可能性】
【００９９】
本発明は、偽造が困難であることを求められる物品に備えられることにより、物品の偽造の困難性を高めたり、身の回りの物品に備えられることにより、物品の意匠性を高めたりすることが可能な表示体に用いることができる。
【符号の説明】
【０１００】
Ａ２…孤立領域、Ａ３…周辺領域、Ｌ１，ＥＰ１，ＥＰ２，ＬＲ，ＬＰ１，ＬＰ２…光、ＬＴ…単位配列、ＸＴ…単位配列の１辺の長さ、ＰＴ…構造周期、Ｔ２，Ｔ３，Ｔ４…厚さ、Ｗ４，ＷＴ…幅、ＷＰ…最短幅、１０Ａ…第１表示領域、１０Ｂ…第２表示領域、１０Ｓ…表面、１０Ｔ…裏面、１１…支持部、１１ａ…基材、１１ｂ…中間層、１１Ｔ…凸部、２１…第１格子層、２２…第１誘電体層、２３…第１金属層、３１…中間格子層、３２…第１中間誘電体層、３２Ａ…中間金属層、３３…第２中間誘電体層、４１…第２格子層、４２…第２金属層、４３…第２誘電体層、４５…保護層
【図１】
2019117289.tif 000003
【図２】
2019117289.tif 000004
【図３】
2019117289.tif 000005
【図４】
2019117289.tif 000006
【図５】
2019117289.tif 000007
【図６】
2019117289.tif 000008
【図７】
2019117289.tif 000009
【図８】
2019117289.tif 000010
【図９】
2019117289.tif 000011
【図１０】
2019117289.tif 000012
【図１１】
2019117289.tif 000013
【図１２】
2019117289.tif 000014
【図１３】
2019117289.tif 000015